(57)【要約】【課題】  騒がしい環境下であっても難聴者が放送内容を明瞭に聞き取ることができるようにすること。【解決手段】  エレベータ利用者Ｍ1が乗りかご６内に乗り込むと、エレベータ制御装置内の音声放送制御部２は、自動音声案内情報の音声データを音声データ格納部３から取り出し、これを出力する。この音声データは、音声出力部７の他に、磁気誘導アンプ１０にも送信される。そして、ループアンテナ１１から電波が発信され、この電波がエレベータ利用者Ｍ1が装着した補聴器１５により受信される。【選択図】  図１
2006256843.tif 000002
【特許請求の範囲】
【請求項１】
音声データの出力を行う音声放送制御部と、
前記音声放送制御部からの音声データに基づきエレベータ利用者に対して音声を出力する音声出力部と、
前記音声放送制御部からの音声データを、エレベータ利用者が装着する音声受信器が受信可能な電波に変換して発信するループアンテナと、
を備えたことを特徴とするエレベータの音声放送システム。
【請求項２】
前記音声受信器は、磁気ループシステム対応型の補聴器である、
ことを特徴とする請求項１記載のエレベータの音声放送システム。
【請求項３】
前記音声受信器は、磁気ループシステム対応型のヘッドホン又はイヤホンである、
ことを特徴とする請求項１記載のエレベータの音声放送システム。
【請求項４】
前記ループアンテナは、乗りかご内の床下、天井裏、壁内部、又はかご操作盤内部の少なくともいずれかに配設されたものである、
ことを特徴とする請求項１乃至３のいずれかに記載のエレベータの音声放送システム。
【請求項５】
前記ループアンテナは、エレベータ乗場の床下、天井裏、乗降ドア周囲の壁内部、又は乗場操作盤内部の少なくともいずれかに配設されたものである、
ことを特徴とする請求項１乃至３のいずれかに記載のエレベータの音声放送システム。
【請求項６】
前記音声放送制御部は、前記音声出力部及び前記ループアンテナの双方に音声データを出力する第１の制御モードと、前記ループアンテナのみに音声データを出力する第２の制御モードとを有するものである、
ことを特徴とする請求項１乃至５のいずれかに記載のエレベータの音声放送システム。
【発明の詳細な説明】
【技術分野】
【０００１】
本発明は、エレベータの音声放送システムに関するものである。
【背景技術】
【０００２】
エレベータは不特定多数の人が利用する公共性の高いビル内交通手段であり、最近では高齢者や身体障害者も安心して利用できるような工夫がなされている。ところで、近年、高齢者や身体障害者が快適に過ごすことができる建築物及びその付帯設備の普及促進を目的とする所謂「ハートビル法」が施行されており、公共性の高いエレベータシステムについてもこれらの利用者に対する何らかの配慮が要請されている。例えば、特許文献１に開示されているエレベータシステムでは、エレベータ利用者が携帯している携帯端末から受信した利用者情報により、そのエレベータ利用者が聴覚障害者であることが認識できた場合は、エレベータの案内音声の音量を大きくして放送するようにしている。
【特許文献１】特開２００２−３６２８３８号公報
【発明の開示】
【発明が解決しようとする課題】
【０００３】
しかし、単に放送音声の音量を大きくしても、騒音が大きく騒がしい環境の場合、難聴者は必ずしも明瞭に放送内容を聞き取ることができない。また、難聴者の難聴の種類が感音声難聴である場合は、音量を大きくすることは余り有効な対策とは言えない。更に、放送音声の音量を必要以上に大きくすることは健常者に不快感を与えることになる。
【０００４】
本発明は上記事情に鑑みてなされたものであり、騒がしい環境下であってもエレベータを利用する多くの難聴者が放送内容を明瞭に聞き取ることができ、また、健常者に対しても不快感を与えることのないエレベータの音声放送システムを提供することを目的としている。
【課題を解決するための手段】
【０００５】
上記課題を解決するための手段として、請求項１記載の発明は、音声データの出力を行う音声放送制御部と、前記音声放送制御部からの音声データに基づきエレベータ利用者に対して音声を出力する音声出力部と、前記音声放送制御部からの音声データを、エレベータ利用者が装着する音声受信器が受信可能な電波に変換して発信するループアンテナと、を備えたことを特徴とする。
【０００６】
請求項２記載の発明は、請求項１記載の発明において、前記音声受信器は、磁気ループシステム対応型の補聴器である、ことを特徴とする。
【０００７】
請求項３記載の発明は、請求項１記載の発明において、前記音声受信器は、磁気ループシステム対応型のヘッドホン又はイヤホンである、ことを特徴とする。
【０００８】
請求項４記載の発明は、請求項１乃至３のいずれかに記載の発明において、前記ループアンテナは、乗りかご内の床下、天井裏、壁内部、又はかご操作盤内部の少なくともいずれかに配設されたものである、ことを特徴とする。
【０００９】
請求項５記載の発明は、請求項１乃至３のいずれかに記載の発明において、前記ループアンテナは、エレベータ乗場の床下、天井裏、乗降ドア周囲の壁内部、又は乗場操作盤内部の少なくともいずれかに配設されたものである、ことを特徴とする。
【００１０】
請求項６記載の発明は、請求項１乃至５のいずれかに記載の発明において、前記音声放送制御部は、前記音声出力部及び前記ループアンテナの双方に音声データを出力する第１の制御モードと、前記ループアンテナのみに音声データを出力する第２の制御モードとを有するものである、ことを特徴とする。
【発明の効果】
【００１１】
本発明では、ループアンテナが発信する電波の受信が可能な音声受信器を装着していれば誰でも放送内容を明瞭に聞き取ることができる。また、このような音声受信器を装着していない健常者も、音量が大きくなっているわけではないので不快感を感じることはない。
【発明を実施するための最良の形態】
【００１２】
図１は、本発明の実施形態の構成を示す説明図である。この図１の構成は、磁気ループシステムを採用したものである。この磁気ループシステムは、最近、高齢者等が集まるホールや集会室等でよく用いられている補聴器サポートシステムであり、マイクなどの音声出力装置からの音声信号を磁気誘導アンプがループアンテナから電波として発信させるものである。このとき、補聴器を付けた高齢者等がループアンテナのループ内側又はその付近に位置していれば、この補聴器がクリアな音声の電波を受信することができる。ただし、この補聴器は、磁気ループシステム対応型のもの、すなわちテレホンコイルを備えたものでなければならず、ループアンテナからの電波を受信しようとする場合には、補聴器のスイッチを「Ｔ」又は「ＭＴ］に切り換えて磁気ループ対応モードにセットしておく必要がある。
【００１３】
図１において、エレベータ制御装置１は音声放送制御部２を有している。音声放送制御部２は、自動音声案内情報として予め録音されている音声データを音声データ格納部３から取り出して出力し、また、エレベータ監視センター４からのオペレータの音声データ、あるいは館内放送装置５からアナウンスされる音声データなどの出力も行うようになっている。そして、音声放送制御部２から出力される音声データは、乗りかご６内の音声出力部（スピーカ）７、及びエレベータ乗場８の音声出力部（スピーカ）９に送られて放送されるようになっている。
【００１４】
乗りかご６内には磁気ループシステムが構築されており、乗りかご６内の床下には、磁気誘導アンプ１０、及びこれに接続されたループアンテナ１１が配設されている。また、エレベータ乗場８にも磁気ループシステムが構築されており、乗降ドア１２の前の床下には、磁気誘導アンプ１３、及びこれに接続されたループアンテナ１４が配設されている。そして、音声放送制御部２から出力される音声データは、上記の音声出力部７，９の他に、これらの磁気誘導アンプ１０，１３にも送られるようになっている。磁気誘導アンプ１０，１３は、送られてきた音声データをループアンテナ１１，１４により電波に変換して発信するようになっている。
【００１５】
乗りかご６内に配設されたループアンテナ１１のループ内の位置には、音声受信器としての補聴器１５を装着したエレベータ利用者Ｍ1が立っている。また、エレベータ乗場８の乗降ドア１２の前に配設されたループアンテナ１４のループ内の位置には、音声受信器としての補聴器１６を装着したエレベータ利用者Ｍ2が立っている。なお、エレベータ利用者Ｍ1，Ｍ2が装着している補聴器１５，１６はいずれもテレホンコイルを備えた磁気ループシステム対応型のものである。そして、エレベータ利用者Ｍ1，Ｍ2は、補聴器１５，１６のスイッチを「Ｔ」又は「ＭＴ］に切り換えて磁気ループ対応モードにセットすることにより、ループアンテナ１１，１４から発信される電波を受信することができるようになっている。
【００１６】
ここで、ループアンテナ１１，１４の配設位置は、図１においては、それぞれ乗りかご６及びエレベータ乗場８の床下として示したが、床下以外の場所にも配設可能である。この配設可能な位置を図２及び図３に基づき説明する。
【００１７】
図２は、乗りかご６内のループアンテナ配設可能位置を示す斜視図である。乗りかご６は、床１７、天井１８、壁１９を有しており、また、ドア２０の近くにはかご操作盤２１が設置されている。なお、かご操作盤２１に近い方の壁１９には、高齢者等の難聴者に対するメッセージ、つまり、この乗りかごには磁気ループシステムが構築されており、補聴器のスイッチを「Ｔ」又は「ＭＴ］に切り換えることにより放送音声を明瞭に聞き取ることが可能になる旨の説明が記載された銘板２２が取り付けられている。
【００１８】
そして、床１７の下にループアンテナ１１を、図１に示したように配設することの他に、天井１８の裏にループアンテナ１１Ａを、壁１９の内部にループアンテナ１１Ｂを、かご操作盤２１の内部にループアンテナ１１Ｃを配設することが可能である。但し、図２は、ループアンテナ１１，１１Ａ，１１Ｂ，１１Ｃの全てを配設すべきものとして示したわけではなく、エレベータの用途などの条件を考慮して、いずれか１つもしくは複数を適宜選択可能なものとして示している。
【００１９】
図３は、エレベータ乗場８のループアンテナ配設可能位置を示す斜視図である。乗降ドア１２の近くには乗場操作盤２３が設置されており、この乗場操作盤２３の下方には、先に述べた銘板２２と同様の説明が記載された銘板２４が取り付けられている。
【００２０】
そして、乗降ドア１２の前の床下には、図１に示すのと同様にループアンテナ１４を配設することの他に、天井裏にループアンテナ１４Ａを、乗降ドア１２の周囲の壁内部にループアンテナ１１Ｂを、乗場操作盤２３の内部に１４Ｃを配設することが可能である。この図３も、図２の場合と同様に、ループアンテナ１４，１４Ａ，１４Ｂ，１４Ｃの全てを配設すべきものとして示したわけではなく、エレベータの用途などの条件を考慮して、いずれか１つもしくは複数を適宜選択可能なものとして示したものである。
【００２１】
次に、図１の動作をエレベータ利用者Ｍ1が乗りかご６内に乗り込んだ場合を例に取り説明する。いま、エレベータ利用者Ｍ1が乗りかご６内に乗り込んだとすると、利用者検知手段（図示せず）がエレベータ利用者Ｍ1の存在を検知し、その検知信号をエレベータ制御装置１に送信する。すると、これを受けてエレベータ制御装置１内の音声放送制御部２は、自動音声案内情報の音声データを音声データ格納部３から取り出し、これを出力する。なお、このとき、エレベータ利用者Ｍ1は、補聴器１５のスイッチを「Ｔ」又は「ＭＴ］に切り換えて磁気ループ対応モードにセットしている。
【００２２】
音声放送制御部２からの自動音声案内情報に係る音声データは、音声出力部７の他に、磁気誘導アンプ１０にも送信される。磁気誘導アンプ１０は、送信されてきた音声データに基づきループアンテナ１１に磁界信号を出力する。このときの磁界の強弱に従って、ループアンテナ１１から電波が発信され、この電波がエレベータ利用者Ｍ1が装着した補聴器１５により受信される。したがって、エレベータ利用者Ｍ1は、クリアな音声の自動音声案内情報を補聴器１５を介して聴くことができる。
【００２３】
また、このとき乗りかご６内に、補聴器を付けていない他のエレベータ利用者がいたとしても、このエレベータ利用者には、音声出力部７から放送される音声のみが通常の音量で聞こえるだけなので何ら不快感を感じることはない。
【００２４】
ところで、上述した例では、エレベータ利用者Ｍ1，Ｍ2が難聴者であり、音声受信器が補聴器１５，１６である場合につき説明したが、本発明では健常者のエレベータ利用者が磁気ループシステム対応型のヘッドホン又はイヤホンを付けている場合にも、ループアンテナからの電波をこれらのヘッドホン又はイヤホンに受信させることができる。
【００２５】
この場合、音声放送制御部２は、音声出力部７，９に対する出力、及び磁気誘導アンプ１０，１３に対する（つまりループアンテナ１１，１３に対する）出力の双方を行う第１の制御モードと、磁気誘導アンプ１０，１３に対する（つまりループアンテナ１１，１３に対する）出力のみを行う第２の制御モードとの２つの制御モードを持っていることが好ましい。そして、音声放送制御部２は、第１の制御モードでは全てのエレベータ利用者にとって必要なエレベータ運行情報等を出力するようにし、第２の制御モードでは軽音楽、あるいは館内放送装置５からの館内放送等を流すようにする。
【００２６】
上記の第１の制御モードによれば、ヘッドホン又はイヤホンを付けているエレベータ利用者、及び付けていないエレベータ利用者の双方が音声放送制御部２からの音声データの内容を聞くことができる。一方、第２の制御モードによれば、ヘッドホン又はイヤホンを付けているエレベータ利用者しか音声放送制御部２からの音声データの内容を聞くことができない。しかし、エレベータ利用者の中には、軽音楽や館内放送等を聞きたくない人もいるので、このような人にとっては第２の制御モードの方が快適な環境となる。したがって、第２の制御モードを用いてこれら双方の人が満足する環境を提供することが可能になる。
【図面の簡単な説明】
【００２７】
【図１】本発明のエレベータの音声放送システムの一実施形態を示す構成図。
【図２】図１における乗りかご内のループアンテナ配設位置を示す斜視図。
【図３】図１におけるエレベータ乗場のループアンテナ配設位置を示す斜視図。
【符号の説明】
【００２８】
１  エレベータ制御装置
２  音声放送制御部
３  音声データ格納部
４  エレベータ監視センター
５  館内放送装置
６  乗りかご
７  音声出力部
８  エレベータ乗場
９  音声出力部
１０  磁気誘導アンプ
１１，１１Ａ，１１Ｂ，１１Ｃ  ループアンテナ
１２  乗降ドア
１３  磁気誘導アンプ
１４，１４Ａ，１４Ｂ，１４Ｃ  ループアンテナ
１５  補聴器（音声受信器）
１６  補聴器（音声受信器）
１７  床
１８  天井
１９  壁
２０  ドア
２１  かご操作盤
２２  銘板
２３  乗場操作盤
２４  銘板
Ｍ1，Ｍ2  エレベータ利用者
【図１】
2006256843.tif 000003
【図２】
2006256843.tif 000004
【図３】
2006256843.tif 000005